(57)【要約】【課題】表示パネルの信頼性を損なうことなく発光ユニット間の継ぎ目を目立たなくさせることができる発光装置を提供する。【解決手段】配列された複数の発光ユニット１００からなる発光装置１であって、複数の発光ユニット１００の各々は、表示領域Ａおよび当該発光領域Ａの外側に位置する非表示領域Ｂ１、Ｂ２を含む発光パネル１０と、発光パネル１０を固定するための第１固定部材２１および第２固定部材２２とを備え、第１固定部材２１は、発光領域Ａの光を取り出す側の面とは反対側の面に対向して配置され、発光パネル１０の非表示領域Ｂ１、Ｂ２は、第１固定部材２１の裏の面にまで折り曲げられており、折り曲げられた非表示領域Ｂ１、Ｂ２は、第１固定部材２１と第２固定部材２２とによって挟持されている。【選択図】図２
2014075547.tif 000002
【特許請求の範囲】
【請求項１】
配列された複数の発光ユニットからなる発光装置であって、
前記複数の発光ユニットの各々は、
発光部および当該発光部の外側に位置する非発光部を含む発光パネルと、
前記発光パネルを固定するための第１固定部材および第２固定部材とを備え、
前記第１固定部材は、前記発光部の光を取り出す側の面とは反対側の面に対向して配置され、
一の前記発光ユニットにおける前記発光パネルの前記非発光部は、当該一の発光ユニットにおける前記第１固定部材の前記発光パネル側とは反対側または当該一の発光ユニットに隣接する他の発光ユニットにおける前記第１固定部材の前記発光パネル側とは反対側にまで折り曲げられており、
折り曲げられた前記非発光部は、前記第１固定部材と前記第２固定部材とによって挟持されている
発光装置。
【請求項２】
前記発光パネルは、
光を取り出す側の基板である第１基板と、
前記第１基板に対向して配置された第２基板と、
前記発光部に設けられ、前記第１基板と前記第２基板との間に形成された発光素子と、
前記発光部に設けられ、前記第１基板と前記第２基板との間に形成された電極配線とを有し、
前記発光部における前記第１基板および前記第２基板は、表面が略平面であり、
前記非発光部における前記第１基板および前記第２基板は、前記非発光部の折り曲げによる屈曲面を有する
請求項１に記載の発光装置。
【請求項３】
前記第１固定部材は、断面の輪郭線が所定の曲率半径を有する角部を有し、
前記非発光部は、前記角部に沿って折り曲げられている
請求項２に記載の発光装置。
【請求項４】
前記非発光部は、前記発光部から延設された前記電極配線を含む少なくとも１つ以上の非発光部と、前記電極配線を含まない少なくとも１つ以上の非発光部とを含み、
前記電極配線を含む前記非発光部の前記折り曲げ部分に対応する前記第１固定部材の前記角部における前記曲率半径は、前記電極配線を含まない前記非発光部の前記折り曲げ部分に対応する前記第１固定部材の前記角部における前記曲率半径より大きい
請求項３に記載の発光装置。
【請求項５】
前記第１基板の厚みは、前記第２基板の厚みよりも薄い
請求項２乃至４のいずれか１項に記載の発光装置。
【請求項６】
前記発光パネルの厚みは、４０μｍ以上１３０μｍ以下である
請求項１乃至５のいずれか１項に記載の発光装置。
【請求項７】
前記第２固定部材は、開口を有する枠体であり、
折り曲げられた前記非発光部は、前記開口から引き出されている
請求項１乃至６のいずれか１項に記載の発光装置。
【請求項８】
折り曲げられた前記非発光部を前記第１固定部材および前記第２固定部材に固定するためのネジを備え、
前記ネジは、前記第１固定部材、前記非発光部および前記第２固定部材を連通している
請求項１乃至７のいずれか１項に記載の発光装置。
【請求項９】
前記発光パネルは、有機ＥＬパネルである
請求項１乃至８のいずれか１項に記載の発光装置。
【請求項１０】
前記一の発光ユニットにおける前記発光パネルの前記発光部は、平面視が矩形状であり、
前記一の発光ユニットにおける前記発光パネルの前記非発光部は、折り曲げられる前の状態において前記発光部の４辺の各々から張り出しており、
４つの前記非発光部の各々は、当該一の発光ユニットにおける前記第１固定部材の前記発光パネル側とは反対側にまで折り曲げられており、
対向する一対の前記非発光部が、前記第１固定部材と前記第２固定部材とによって挟持されている
請求項１乃至９のいずれか１項に記載の発光装置。
【発明の詳細な説明】
【技術分野】
【０００１】
本発明は、発光装置に関し、特に、各々が発光部を有する複数の発光ユニットを配列することで、より大きい面積の発光領域を構成する発光装置に関する。
【背景技術】
【０００２】
近年、ディスプレイ装置や照明装置などの発光装置は、益々大型化する傾向にある。こうした大型化においては、製造や運搬、メンテナンスの観点から、単一の大型発光パネルで大面積の発光領域を構成するよりも、小型の発光パネルをつなぎ合わせて大型化する方が利点が大きいと考えられている。
【０００３】
特に、有機ＥＬ素子の開発が進められたことに伴い、照明としての面光源用発光装置や、高画質、高視野角、低電力駆動が可能な大型ディスプレイ発光装置の実現が期待されており、小型の有機ＥＬパネルを複数枚継ぎ合わせることによって、より大型の有機ＥＬパネルを構成する検討が進められている。
【０００４】
しかしながら、小型の発光パネルをつなぎ合わせた場合に、発光パネル間の継ぎ目（つなぎ目）が非表示領域として存在するため、視認性に劣るという問題が生じる。例えば、小型のパネルを複数枚つなぎ合わせて大型の発光パネルを構成した場合には、パネル全体に網目状の非発光領域が形成されてしまい、表示画像が不自然になる。これは、小型の発光パネルを発光ユニットとしてつなぎ合わせる際に、発光部に電力などを供給する電極の引き出し領域や封止領域が発光ユニットの額縁領域に非発光領域として残ることに起因している。この結果、発光ユニット間の継ぎ目が目立ってしまい視認性が劣化する。
【０００５】
これに対し、発光ユニット間の継ぎ目を目立たなくする方法の一つとして、５０μｍ以下のガラス基板上に有機ＥＬ層を形成してなる表示パネルと当該表示パネルを支持する支持枠とを備える表示装置（発光ユニット）において、表示パネルの表示領域の４辺から外側に張り出した額縁領域の各々を、表示領域の周縁部近傍から支持枠側に折り曲げ、支持枠の側面に固定する方法が特許文献１に開示されている。この際、折り曲げられた表示パネルの額縁領域は、支持枠の側面において接着剤やベゼルを用いて固定、もしくは支持枠の背面において接着剤を用いて固定される。
【先行技術文献】
【特許文献】
【０００６】
【特許文献１】特開２０１１−４７９７７号公報
【発明の概要】
【発明が解決しようとする課題】
【０００７】
しかしながら、特許文献１に開示される方法では、発光ユニット間の継ぎ目を目立たなくさせることと表示パネルの信頼性との両立を図ることは困難である。
【０００８】
本発明は、上記課題に鑑みてなされたものであり、表示パネルの信頼性を損なうことなく発光ユニット間の継ぎ目を目立たなくさせることができる発光装置を提供することを目的とする。
【課題を解決するための手段】
【０００９】
上記課題を解決するために、本発明の一態様に係る発光装置は、配列された複数の発光ユニットからなる発光装置であって、前記複数の発光ユニットの各々は、発光部および当該発光部の外側に位置する非発光部を含む発光パネルと、前記発光パネルを固定するための第１固定部材および第２固定部材とを備え、前記第１固定部材は、前記発光部の光を取り出す側の面とは反対側の面に対向して配置され、一の前記発光ユニットにおける前記発光パネルの前記非発光部は、当該一の発光ユニットにおける前記第１固定部材の前記発光パネル側とは反対側または当該一の発光ユニットに隣接する他の発光ユニットにおける前記第１固定部材の前記発光パネル側とは反対側にまで折り曲げられており、折り曲げられた前記非発光部は、前記第１固定部材と前記第２固定部材とによって挟持されていることを特徴とする。
【発明の効果】
【００１０】
本発明に係る発光装置によれば、信頼性を損なうことなく発光パネルを保持することができるとともに、発光ユニット間の継ぎ目を目立たなくさせることができる。これにより、小型の発光ユニットを複数個つなぎ合わせても、発光ユニット間の継ぎ目が目立たない大型の発光装置を実現できる。
【図面の簡単な説明】
【００１１】
【図１】図１は、本発明の実施の形態１に係る発光装置の概略構成を示す斜視図である。
【図２】図２（ａ）は、本発明の実施の形態１に係る発光装置における発光ユニットの平面図であり、図２（ｂ）は、（ａ）のａ−ａ線における同発光ユニットの側断面図である。
【図３Ａ】図３Ａは、本発明の実施の形態１に係る発光装置における表示パネルの平面図である。
【図３Ｂ】図３Ｂは、本発明の実施の形態１に係る発光装置に発光パネルの一画素の構成を示す断面図である。
【図４Ａ】図４Ａは、本発明の実施の形態２に係る発光装置における発光ユニットの構成を背面から見たときの斜視図である。
【図４Ｂ】図４Ｂは、本発明の実施の形態２に係る発光装置における発光ユニットの側断面図である。
【図５Ａ】図５Ａは、本発明の実施の形態３に係る発光装置における発光ユニットを背面から見たときの斜視図である。
【図５Ｂ】図５Ｂは、本発明の実施の形態３に係る発光装置における発光ユニットの側断面図である。
【図６】図６は、本発明の実施の形態３に係る発光装置の発光ユニットにおける表示パネルの厚みと表示パネルの浮きとの関係を示したグラフである。
【図７】図７は、本発明の実施の形態３に係る発光装置における発光ユニットの継ぎ目周辺の構成を示す平面図である。
【図８Ａ】図８Ａは、本発明の第１変形例に係る発光装置の側断面図である。
【図８Ｂ】図８Ｂは、本発明の第２変形例に係る発光装置の側断面図である。
【発明を実施するための形態】
【００１２】
（本発明の一態様に至った経緯）
上述のとおり、特許文献１に開示される方法では、発光ユニット間の継ぎ目を目立たなくさせることと表示パネルの信頼性との両立を図ることは困難である。
【００１３】
具体的には、折り曲げた表示パネルの額縁領域を接着剤によって支持枠の側面または背面と固定する場合、表示パネルが可撓性を有していても表示パネルを９０度近く曲げた際には元に戻る力（復元力）が発生するため、接着力の弱い接着剤では表示パネルを支持枠に固定することは困難である。一方、強力な接着剤を用いて表示パネルを支持枠に固定すると、層構造となっている表示パネルの層間の接着強度よりも表示パネルと支持枠との接着強度が勝り、表示パネルの層剥がれが誘発され、表示パネルの信頼性が維持できなくなる。
【００１４】
また、折り曲げた表示パネルの額縁領域をベゼルによって支持枠の側面に固定する場合、ある程度の保持強度は得られるものの、ベゼルの厚みが表示パネル間の継ぎ目の幅に直結する。したがって、ベゼルを用いた固定方法では、発光ユニット間の継ぎ目を目立たなくさせることは難しい。また、この方法は、更なる高精細化や継ぎ目無しの発光装置を目指す流れにおいて好ましくない。
【００１５】
さらに、特許文献１には、表示パネルの額縁領域の折り曲げ部分における曲げアールＲｂを所定の値に規定することが記載されているが、特許文献１の表示パネルは、折り曲げられた額縁領域を単に接着剤等で固定しているだけの構成であり、実際のところ曲げアールＲｂを規定できる構成にはなっていない。また、発光ユニット間の継ぎ目を目立たなくさせるためには、額縁領域における折り曲げ部分の幅の制御が重要となってくるが、特許文献１に記載の方法では、曲げアールＲｂにばらつきが生じて、折り曲げ部分の幅が狙いの値とならず、発光ユニット間の継ぎ目を目立たなくさせることは困難である。
【００１６】
本発明は、このような課題に鑑みてなされたものであり、発光パネルの信頼性を維持しつつ、発光ユニット間の継ぎ目を目立たなくさせることができる発光装置を提供することを目的とする。特に、本発明は、表示パネルの継ぎ目を目立たなくすることができるタイリング方式に好適な表示装置を提供することを目的とする。
【００１７】
上記目的を達成するために、本発明の一態様に係る発光装置は、配列された複数の発光ユニットからなる発光装置であって、前記複数の発光ユニットの各々は、発光部および当該発光部の外側に位置する非発光部を含む発光パネルと、前記発光パネルを固定するための第１固定部材および第２固定部材とを備え、前記第１固定部材は、前記発光部の光を取り出す側の面とは反対側の面に対向して配置され、一の前記発光ユニットにおける前記発光パネルの前記非発光部は、当該一の発光ユニットにおける前記第１固定部材の前記発光パネル側とは反対側または当該一の発光ユニットに隣接する他の発光ユニットにおける前記第１固定部材の前記発光パネル側とは反対側にまで折り曲げられており、折り曲げられた前記非発光部は、前記第１固定部材と前記第２固定部材とによって挟持されていることを特徴とする。
【００１８】
上記構成によれば、発光パネルの非発光部が第１固定部材の背面側にまで折り曲げられているので、発光ユニットの額縁領域の幅を狭くすることができる。また、折り曲げられた非発光部の一部が第１固定部材と第２固定部材との２つの固定部材で挟持されて押さえられているので、発光パネルを安定して固定保持することができる。これにより、発光パネルの信頼性を損なうことなく、発光ユニット間の継ぎ目を目立たなくすることができる。
【００１９】
さらに、本発明の一態様に係る表示装置において、前記発光パネルは、光を取り出す側の基板である第１基板と、前記第１基板に対向して配置された第２基板と、前記発光部に設けられ、前記第１基板と前記第２基板との間に形成された発光素子と、前記発光部に設けられ、前記第１基板と前記第２基板との間に形成された電極配線とを有し、前記発光部における前記第１基板および前記第２基板は、表面が略平面であり、前記非発光部における前記第１基板および前記第２基板は、前記非発光部の折り曲げによる屈曲面を有する、としてもよい。
【００２０】
これにより、第１基板と第２基板との間に発光素子および電極配線が設けられた発光パネルを有する発光ユニットについて、発光パネルの信頼性を損なうことなく、発光ユニット間の継ぎ目を目立たなくすることができる。
【００２１】
さらに、本発明の一態様に係る表示装置において、前記第１固定部材は、断面の輪郭線が所定の曲率半径を有する角部を有し、前記非発光部は、前記角部に沿って折り曲げられている、としてもよい。
【００２２】
これにより、第１固定部材の角部の曲率半径に従って非発光部における折り曲げ部分の曲率半径が規定されるので、発光ユニットとしての額縁領域の幅を規定することができる。
【００２３】
さらに、本発明の一態様に係る表示装置において、前記非発光部は、前記発光部から延設された前記電極配線を含む少なくとも１つ以上の非発光部と、前記電極配線を含まない少なくとも１つ以上の非発光部とを含み、前記電極配線を含む前記非発光部の前記折り曲げ部分に対応する前記第１固定部材の前記角部における前記曲率半径は、前記電極配線を含まない前記非発光部の前記折り曲げ部分に対応する前記第１固定部材の前記角部における前記曲率半径より大きい、としてもよい。
【００２４】
これにより、非発光部を角部に沿って折り曲げたときに、電極配線を含む非発光部における折り曲げ部分の曲率半径を、電極配線を含まない非発光部における折り曲げ部分の曲率半径よりも大きくすることができる。この結果、電極配線を含む非発光部に加わる曲げ応力を、電極配線を含まない非発光部に加わる曲げ応力よりも小さくすることができる。したがって、非発光部に電極配線が形成されていても、欠けやクラックが発生することを抑制できる。
【００２５】
さらに、本発明の一態様に係る表示装置において、前記第１基板の厚みは、前記第２基板の厚みよりも薄い、としてもよい。
【００２６】
これにより、発光パネルの浮きを小さくすることができるので、発光ユニット間の継ぎ目を目立たなくすることができる。
【００２７】
さらに、本発明の一態様に係る表示装置において、前記発光パネルの厚みは、４０μｍ以上１３０μｍ以下である、としてもよい。
【００２８】
これにより、製造可能な発光パネルにおいて、発光パネルの浮きを、狙いの額縁領域の幅が実現できる範囲内とすることができる。
【００２９】
さらに、本発明の一態様に係る表示装置において、前記第２固定部材は、開口を有する枠体であり、折り曲げられた前記非発光部は、前記開口から引き出されている、としてもよい。
【００３０】
これにより、非発光部の折り曲げの端部に存在する電極端子を第２固定部材から引き出すことができるので、発光ユニットと電気回路との電気的接続を容易に行うことができる。
【００３１】
さらに、本発明の一態様に係る表示装置において、折り曲げられた前記非発光部を前記第１固定部材および前記第２固定部材に固定するためのネジを備え、前記ネジは、前記第１固定部材、前記非発光部および前記第２固定部材を連通している、としてもよい。
【００３２】
これにより、第１固定部材と非発光部と第２固定部材との相対的な位置関係を固定することができる。したがって、折り曲げによって発光パネルに復元力が発生していても、形状が変わることなく発光パネルを保持し続けることができる。
【００３３】
さらに、本発明の一態様に係る表示装置において、前記発光パネルは、有機ＥＬパネルである、としてもよい。
【００３４】
これにより、有機ＥＬパネルを用いた発光ユニットを構成することができる。
【００３５】
さらに、本発明の一態様に係る表示装置において、前記一の発光ユニットにおける前記発光パネルの前記発光部は、平面視が矩形状であり、前記一の発光ユニットにおける前記発光パネルの前記非発光部は、折り曲げられる前の状態において前記発光部の４辺の各々から張り出しており、４つの前記非発光部の各々は、当該一の発光ユニットにおける前記第１固定部材の前記発光パネル側とは反対側にまで折り曲げられており、対向する一対の前記非発光部が、前記第１固定部材と前記第２固定部材とによって挟持されている、としてもよい。
【００３６】
これにより、折り曲げによる発光パネルの復元力が第２固定部材の対向する端部に均等に加わることになるので、発光パネルを容易に保持させることができる。
【００３７】
（実施の形態）
以下、本発明を実施するための形態について、図面を参照しながら説明する。なお、以下で説明する実施の形態は、いずれも包括的または具体的な例を示すものである。したがって、以下の実施の形態で示される数値、形状、材料、構成要素、構成要素の配置位置および接続形態、工程（ステップ）、工程の順序などは、一例であって本発明を限定する主旨ではない。よって、以下の実施の形態における構成要素のうち、最上位概念を示す独立請求項に記載されていない構成要素については、任意の構成要素として説明される。
【００３８】
なお、各図において、実質的に同一の構成部材については同一の符号を付す。また、各図は、模式図であり、必ずしも厳密に図示したものではない。
【００３９】
（実施の形態１）
まず、本発明の実施の形態１に係る発光装置１の概略構成について、図１を用いて説明する。図１は、本発明の実施の形態１に係る発光装置の概略構成を示す斜視図である。
【００４０】
図１に示すように、本実施の形態における発光装置１は、複数の発光ユニット１００と、複数の発光ユニット１００を配置するための筐体２００とを備える。複数の発光ユニット１００は、例えば、互いに隣接させて行列状に配列され、所定の固定手段によって筐体２００に固定される。筐体２００は、例えば、発光ユニット１００を固定するための構成（孔等）が設けられた金属筐体であって、具体的には、アルミプレートまたはアルミシャーシ等である。
【００４１】
本実施の形態において、発光装置１は、表示装置である。この場合、発光ユニット１００は、表示パネルユニットである。各々が表示画面を有する複数の表示パネルユニット（発光ユニット１００）をタイリング方式で行列状に組み合わせることによって、１つの大きな表示画面を有する表示装置を構成することができる。
【００４２】
次に、本実施の形態における発光ユニット１００の構成について、図２を用いて説明する。図２（ａ）は、発明の実施の形態１に係る発光装置における発光ユニットの平面図であり、図２（ｂ）は、（ａ）のａ−ａ線における同発光ユニットの側断面図である。
【００４３】
図２の（ａ）および（ｂ）に示すように、発光ユニット１００は、発光パネル１０と、発光パネル１０を固定（保持）するための第１固定部材（第１保持部材）２１および第２固定部材（第２保持部材）２２とを備える。
【００４４】
本実施の形態における発光ユニット１００は、大型の表示装置の単位構成である表示パネルユニットであり、発光パネル１０は、例えば、可撓性を有するフレキシブル有機ＥＬパネルである。フレキシブル有機ＥＬパネルは、十分に薄型化された一対のフレキシブル基板間に有機ＥＬ層が挟持されたものであり、亀裂や剥離などの破壊が生じない程度の曲率をもって略直角に近くに曲げることが可能な可撓性を有している。フレキシブル有機ＥＬパネルの構造としては、支持基板の背面から光が出射されるボトムエミッション型であってもよく、また、支持基板上面の封止層側から光が出射されるトップエミッション型であってもよい。なお、本実施の形態では、発光パネル１０として、トップエミッション型のフレキシブル有機ＥＬパネルを用いて説明するが、これに限定されるものではない。
【００４５】
図２（ａ）に示すように、表示パネルとしての発光パネル１０は、マトリクス状に配置された複数の画素によって構成された表示領域Ａ（発光部）と、表示領域Ａから外側に位置する非表示領域Ｂ１およびＢ２（非発光部）とを含む。
【００４６】
表示領域Ａには、例えば、赤色（Ｒ）、緑色（Ｇ）、青色（Ｂ）の各色画素が周期的に配置されており、各画素が出射する表示光によりフルカラーの画像が表示される。なお、発光パネル１０は、カラー表示を行う表示パネルに限定するものではなく、モノクロ表示を行う表示パネルであっても良い。
【００４７】
また、表示領域Ａの平面視形状は、好適例として一辺の幅がＷＡである略正方形をなしているが、正方形に限定されるものではなく、例えば、長方形などのように、複数の発光ユニット１００を隣り合わせて並べたときに、発光ユニット１００同士の間に隙間が生じない形状であれば、その他の形状のものを用いることができる。なお、非表示領域Ｂ１およびＢ２の詳細については後述する。
【００４８】
第１固定部材２１は、発光パネル１０の表示領域Ａの光を取り出す側の面とは反対側の面に対向して配置されている。つまり、発光パネル１０において、光が出射する光出射面を表の面とし、光出射面（表の面）とは反対側の面を裏の面（背面）としたときに、第１固定部材２１は、発光パネル１０の裏の面に対面させて配置されている。
【００４９】
本実施の形態において、第１固定部材２１は、平面視形状が略矩形の板材であって、複数の発光ユニット１００の各々に対応して設けられている。また、第１固定部材２１は、発光パネル１０の裏の面（第２基板１１の外表面）に接するように配置されている。
【００５０】
第２固定部材２２は、第１固定部材２１の発光パネル１０側とは反対側に配置されている。つまり、第１固定部材２１において、発光パネル１０側の面を表の面とし、当該表の面とは反対側の面を裏の面（背面）としたときに、第２固定部材２２は、第１固定部材２１の裏の面に対面させて配置されている。
【００５１】
本実施の形態において、第２固定部材２２は、平面視形状が略矩形の板材であって、複数の発光ユニット１００の各々に対応して設けられている。また、第２固定部材２２は、発光パネル１０の厚みの分だけ、第１固定部材２１の裏の面と所定の間隔をあけて配置されている。なお、第２固定部材２２の平面視形状は、第１固定部材２１の平面視形状と略同じである。
【００５２】
本実施の形態において、第１固定部材２１の厚みは、第２固定部材２２の厚みよりも厚くしている。なお、第１固定部材２１そのものの厚みが薄すぎると、第１固定部材２１の背面にまで発光パネル１０を折り曲げたときに、発光パネル１０が破断してしまうおそれがある。また、第１固定部材２１および第２固定部材２２の材質は特に限定されるものではないが、一例として、アクリル等の樹脂やアルミ等の金属などを用いることができる。
【００５３】
ここで、図２（ａ）に示すように、発光ユニット１００の外形は、平面視において表示領域Ａの正方形と略同じ態様となっている。詳しくは、表示領域Ａ（発光部）の各辺からそれぞれ非表示領域Ｂ１およびＢ２（非発光部）が張り出しており、非表示領域Ｂ１およびＢ２は、表示領域Ａを囲むように表示領域Ａの４辺に対応して幅ＷＢの額縁領域として視認されるものの、額縁領域の幅（幅ＷＢ）が僅かであるため、発光ユニット１００の外形は、実質的には表示領域Ａの正方形と略同様に観察されている。
【００５４】
これは、図２（ｂ）に示すように、発光パネル１０の各辺における非表示領域Ｂ１およびＢ２のそれぞれを、第１固定部材２１側に折り曲げたことにより実現している。
【００５５】
詳しくは、まず、発光パネル１０の非表示領域Ｂ１およびＢ２の各々は、第１固定部材２１全体を覆うように、表示領域Ａの辺ごとに表示領域Ａの周縁部から第１固定部材２１の裏の面にまで折り曲げられている。つまり、発光パネル１０の非表示領域Ｂ１およびＢ２の各々は同じ方向に２回折り曲げられており、非表示領域Ｂ１およびＢ２の折り曲げ部分の断面形状は、略コの字状となっている。このように、発光パネル１０を折り曲げることによって、発光パネル１０の全周において、その平面的な額縁領域の幅ＷＢを狭くすることができ、タイリング用途に好適な発光ユニットを構成することができる。
【００５６】
さらに、表示領域Ａの４辺で折り曲げられた非表示領域Ｂ１およびＢ２（第１固定部材２１の背面側に位置する非表示領域Ｂ１、Ｂ２）の全てが、第１固定部材２１と第２固定部材２２とによって挟持されている。より具体的には、折り曲げられた非表示領域Ｂ１およびＢ２の端部が、４辺全辺において第１固定部材２１の裏の面と第２固定部材２２の表の面とに面接触している。
【００５７】
このように、直交する２方向において対向する一対の非表示領域Ｂ１および非表示領域Ｂ２が、第１固定部材２１の裏の面（背面）にまで折り曲げられており、対向する一対の非表示領域Ｂ１および非表示領域Ｂ２の各々の端部が、第１固定部材２１の対向端部の裏の面において、第１固定部材２１と第２固定部材２２とによって押さえられるように挟持されている。しかも、本実施の形態では、第１固定部材２１の裏の面に位置する非表示領域Ｂ１およびＢ２の端部が第２固定部材２２によって第１固定部材２１側に押しつけられている。これにより、折り曲げによる発光パネル１０の復元力（残留応力）が第２固定部材２２の対向端部において均等に加わることになるので、発光パネル１０を容易に保持することが可能となる。これにより、発光パネル１０は、折り曲げられた状態で、第１固定部材２１と第２固定部材２２とによって強固に保持固定される。なお、発光パネル１０において、折り曲げた状態とは、発光パネル１０の略平面である表示領域Ａに対して０度よりも大きい角度で、少なくとも１箇所以上曲げることを意味する。
【００５８】
さらに、発光パネル１０と第１固定部材２１との固定をサポートするために、表示領域Ａにおける発光パネル１０の裏の面（第１固定部材側の面）と第１固定部材２１の表の面（発光パネル側の面）との間に接着剤や滑り止めシート等を貼り付けてもよい。
【００５９】
また、図２（ｂ）に示すように、発光パネル１０の非表示領域Ｂ１およびＢ２は、第１固定部材２１の角部に沿うように折り曲げられる。これにより、発光パネル１０には、第１固定部材２１の角部において、４つの非表示領域Ｂ１およびＢ２の各々に屈曲面が形成される。すなわち、非表示領域Ｂ１およびＢ２を折り曲げることによって発光パネル１０に屈曲面が形成される。このように、非表示領域Ｂ１およびＢ２は、屈曲面を有する領域である屈曲領域と、当該屈曲領域の外側に位置し第１固定部材に固定される領域である固定領域とを有する。
【００６０】
図２（ｂ）に示すように、発光パネル１０の折り曲げ部分にあたる第１固定部材２１の角部（コーナー）は、断面の輪郭線が所定の曲率半径を有しており、非表示領域Ｂ１の折り曲げ部分における第１固定部材２１の角部の曲率半径（曲げアール）はＲ１であり、非表示領域Ｂ２の折り曲げ部分における第１固定部材２１の角部の曲率半径（曲げアール）はＲ２である。なお、第１固定部材２１の各辺における曲率半径Ｒ１およびＲ２の各々は一定の値となっている。
【００６１】
これにより、発光パネル１０の非表示領域Ｂ１およびＢ２を第１固定部材２１の角部に沿って折り曲げることで、第１固定部材２１の角部の曲率半径に従って非表示領域Ｂ１およびＢ２における折り曲げ部分の曲率半径が規定される。この結果、発光ユニット１００としての額縁領域の幅（ＷＢ）が概ね規定されることになる。つまり、第１固定部材２１の角部の曲率半径Ｒ１およびＲ２の値を変更することによって、額縁領域の幅（ＷＢ）を調整することができる。
【００６２】
なお、第１固定部材２１の角部の曲率半径Ｒ１、Ｒ２は、予め所定の値に設定することができる。この場合、曲率半径Ｒ１、Ｒ２は、第１固定部材２１の全ての辺で同じ値としてもよく、あるいは、辺ごとに異なる値となるようにしてもよい。また、第１固定部材２１において、表の面側（発光パネル側）に近い上部の辺と、裏の面側（第２固定部材側）に近い下部の辺とで、曲率半径Ｒ１、Ｒ２を異なる値としてもよい。本実施の形態において、第１固定部材２１の角部の曲率半径Ｒ１およびＲ２は、各辺の全てにおいて０．５ｍｍとしている。
【００６３】
このように、第１固定部材２１の角部は所定の曲率半径を有し凸状に湾曲しているので、発光パネル１０の非表示領域Ｂ１およびＢ２を第１固定部材２１の角部に沿わせて折り曲げることで、発光パネル１０の折り曲げ部分の曲率半径（曲げアール）を規定することができるとともに、非表示領域Ｂ１およびＢ２における額縁領域の幅ＷＢを制御することができる。また、第１固定部材２１の角部の曲率半径Ｒ１およびＲ２を、発光パネル１０の折り曲げ可能な値に設定することによって、発光パネル１０における基板や電極配線の破損等を防ぐことができる。
【００６４】
ここで、発光パネル１０の詳細構成について、図３Ａおよび図３Ｂを用いて説明する。図３Ａは、本発明の実施の形態１に係る発光装置における表示パネルの平面図である。図３Ｂは、本発明の実施の形態１に係る発光装置に発光パネルの一画素（サブピクセル）の構成を示す断面図である。なお、図３Ａは、折り曲げる前（第１固定部材に固定する前）の平板状の表示パネルの状態を示しており、全ての辺（４辺）における非表示領域Ｂ１およびＢ２を伸ばした状態となっている。
【００６５】
図３Ｂに示すように、発光パネル１０は、フレキシブル基板からなる第１基板１６と第２基板１１とを貼り合せた構成となっており、表示領域Ａにおける第１基板１６と第２基板１１との間には、電極配線１２および１４と有機ＥＬ層１３とが形成されている。
【００６６】
図３Ａに示すように、発光パネル１０における表示領域Ａの各辺からは、辺ごとに表示領域Ａの外側に張り出した２つの非表示領域Ｂ１と２つの非表示領域Ｂ２とが形成されている。本実施の形態において、非表示領域Ｂ１およびＢ２の平面視形状は、折り曲げた際に非表示領域同士の重なりが生じないようにするために、略台形としている。なお、非表示領域Ｂ１およびＢ２の形状としては、略台形に限らず、表示領域Ａの各辺を１辺とする長方形の非表示領域としてもよい。なお、本実施の形態では、非表示領域Ｂ１およびＢ２とは、表示領域Ａの外側で、かつ、第１基板１６と第２基板１１とが重なっている部分である。
【００６７】
非表示領域Ｂ１およびＢ２の張り出し長さは、非表示領域Ｂ１およびＢ２を折り曲げたときに、第１固定部材２１の裏の面（背面）で固定できるだけの長さがあればよい。もしくは、非表示領域Ｂ１およびＢ２の長さに応じて、第１固定部材２１の厚みを変更してもよい。
【００６８】
２つの非表示領域Ｂ１は、少なくとも１カ所以上に、表示領域Ａから延設された電極配線１２または電極配線１４を含む領域であり、非表示領域Ｂ１における第１基板１６と第２基板１１との間には、電極配線１２、１４が表示領域Ａから引き出されている。本実施の形態において、図３Ａにおける左側の非表示領域Ｂ１には、透明電極である電極配線１４が延設されており、また、図３Ａにおける下側の非表示領域Ｂ１には、裏面電極である電極配線１２が延設されている。なお、図示しないが、非表示領域Ｂ１、Ｂ２の先端部には、例えばポリイミドフィルムの基材に銅箔等からなる金属配線などが形成された柔軟性を有するフレキシブルプリント回路基板が設けられており、電極配線１２、１４はフレキシブルプリント回路基板と電気的に接続される。
【００６９】
一方、非表示領域Ｂ２は、電極配線１２および１４を含まない領域であり、非表示領域Ｂ２における第１基板１６と第２基板１１との間には、電極配線１２および１４のいずれも存在しない。
【００７０】
ここで、電極配線１２および１４を含む非表示領域Ｂ１の折り曲げ部分に対応する第１固定部材２１の角部の曲率半径Ｒ１は、電極配線１２および１４を含まない非表示領域Ｂ２の折り曲げ部分に対応する第１固定部材２１の角部の曲率半径Ｒ２よりも大きいことが好ましい。これは、電極配線１２および１４を含む非表示領域Ｂ１は、電極配線１２および１４を含まない非表示領域Ｂ２と比べて曲げ応力に対して機械的強度が弱く、発光パネル１０を折り曲げたときに欠けやクラックが発生しやすいからである。
【００７１】
そこで、上記のように、第１固定部材２１の角部の曲率半径をＲ１＞Ｒ２としておくことで、非表示領域Ｂ１およびＢ２を角部に沿って折り曲げたときに、電極配線を含む非表示領域Ｂ１における折り曲げ部分の発光パネル１０の曲率半径を、電極配線を含まない非表示領域Ｂ２における折り曲げ部分の発光パネル１０の曲率半径よりも大きくすることができる。これにより、非表示領域Ｂ１に加わる曲げ応力を非表示領域Ｂ２に加わる曲げ応力よりも小さくすることができるので、非表示領域Ｂ１に電極配線が形成されていても欠けやクラックが発生することを抑制することができる。
【００７２】
次に、発光パネル１０の各構成要素について、図３Ｂを用いてさらに詳細に説明する。なお、本実施の形態では、発光パネル１０の一例として、パッシブマトリクス駆動方式でトップエミッション型の有機ＥＬパネルで説明するが、これに限定されるものではない。
【００７３】
図３Ｂに示すように、発光パネル１０は、フレキシブル素材から成る第２基板１１と、第２基板１１上に形成された光不透過性を有する電極配線１２（裏面電極層）と、電極配線１２上に形成され、発光層を含む有機ＥＬ層１３と、有機ＥＬ層１３上に形成された電極配線１４（透明電極層）１４とを有し、電極配線１２、有機ＥＬ層１３および電極配線１４からなる有機ＥＬ素子１８が封止層１５および第１基板１６によって封止されて構成されている。なお、光取り出し側の基板である第１基板１６も、フレキシブル素材によって構成されている。
【００７４】
第１基板１６および第２基板１１としては、可撓性を有する基板であればよく、例えば、ポリエチレンテレフタレート、ポリエチレンナフタレートもしくはポリブチレンテレフタレート等のポリエステル、トリアセチルセルロースもしくはジアセチルセルロースなどのセルロース樹脂、ポリエチレン、ポリカーボネート、ポリアリレート、ポリスルフォン、ポリエーテルスルフォン、ポリエーテルイミド、ポリイミド、ポリオレフィン、または、ポリメタクリル酸メチル等のアクリル樹脂、などを用いることができる。また、第１基板１６および第２基板１１としては、その他の透明樹脂からなる透明樹脂基板を用いることができる。
【００７５】
上述のとおり、有機ＥＬパネルである発光パネル１０は、図３Ｂに示すように、第２基板１１の一面に、電極配線１２（第１電極）、有機ＥＬ層１３、電極配線１４（第２電極）が順に積層された構成であり、有機ＥＬ層１３および電極配線１４を覆うように封止層１５を形成して封止している。
【００７６】
電極配線１２は、例えばアノードとして機能し、図３Ａに示すように、表示領域Ａにおいて列方向に複数本形成されている。また、電極配線１４は、例えばカソードとして機能し、表示領域Ａにおいて行方向に複数本形成されている。すなわち、電極配線１２と電極配線１４とは直交している。
【００７７】
また、電極配線１２および１４のそれぞれの一方の端部は、表示領域Ａを超えて非表示領域Ｂ１にまで延設されており、延設されて端部にて露出した部分がそれぞれ電極端子として機能する。すなわち、本実施の形態において、発光パネル１０は、非表示領域Ｂ１のパネル端部に電極端子を有している。但し、これに限定されることはなく、４つの非表示領域のいずれかのパネル端部に電極端子が形成されていればよい。
【００７８】
電極配線１２は、仕事関数の低い材料で形成されているとよく、例えば、Ａｌ、Ｃａ、Ｍｇなどの金属またはその化合物、あるいはそれらを含む合金などを用いることができる。また、トップエミッション型の有機ＥＬパネルでは、上部電極である電極配線１４を通して光を取り出す必要があるので、電極配線１４は、有機ＥＬ素子１８からの光に対して透明であることが好ましい。また、電極配線１４としては、仕事関数の高い材料で形成されているとよく、例えばＩＴＯ（Ｉｎｄｉｕｍ  Ｔｉｎ  Ｏｘｉｄｅ）、ＩＺＯ（Ｉｎｄｉｕｍ  Ｚｉｎｃ  Ｏｘｉｄｅ）、ＺｎＯ（酸化亜鉛）、ＳｎＯ（酸化錫）などの導電性酸化金属からなる透明電極、または、例えばＣｒ、Ｍｏ、Ｎｉ、Ｐｔ、Ａｕなどの金属またはその化合物、あるいはそれらを含む合金などからなる細線状の電極を用いることができる。
【００７９】
有機ＥＬ層１３は、一般的な方法により形成することができる。有機ＥＬ層１３は、複数の層によって形成されることが多く、例えば、下層から、電子注入層、電子輸送層、発光層、ホール輸送層等が形成される。なお、ホール輸送層と上部電極である電極配線１４との間にホール注入層を設ける場合もある。有機ＥＬ層１３の上には、カソードとなる電極配線１４が形成される。
【００８０】
有機ＥＬ層１３の各層の材料も一般的な材料を用いることができ、例えば、以下の材料を用いることができる。
【００８１】
電子輸送層としては、電子輸送性を示し、アルカリ金属と共蒸着することにより電荷移動錯体化しやすいものを用いることができ、例えばトリス（８−キノリノラート）アルミニウム、トリス（４−メチル−８−キノリノラート）アルミニウム、ビス（２−メチル−８−キノリノラート）−４−フェニルフェノラート−アルミニウム、ビス［２−［２−ヒドロキシフェニル］ベンゾオキサゾラート］亜鉛などの金属錯体や２−（４−ビフェニリル）−５−（４−ｔｅｒｔ−ブチルフェニル）−１，３，４−オキサジアゾール、１，３−ビス［５−（ｐ−ｔｅｒｔ−ブチルフェニル）−１，３，４−オキサジアゾール−２−イル］ベンゼン等を用いることができる。
【００８２】
電子注入層としては、電子輸送層に用いた物質に対して電子供与性を示す材料を共蒸着して形成することができる。電子供与性を示す材料は、例えば、リチウム、セシウムなどのアルカリ金属、マグネシウム、カルシウムなどのアルカリ土類金属、さらには希土類金属等の金属類、あるいはそれらの酸化物、ハロゲン化物、炭酸化物等から選択できる。
【００８３】
ホール輸送層としては、例えば、テトラアリールベンジシン化合物（トリフェニルジアミン：ＴＰＤ）、芳香族三級アミン、ヒドラゾン誘導体、カルバゾール誘導体、トリアゾール誘導体、イミダゾール誘導体、アミノ基を有するオキサジアゾール誘導体、ポリチオフェン誘導体、銅フタロシアニン誘導体等を用いることができる。
【００８４】
発光層の材料としては、電子やホールの輸送能力を有するホスト材料に、それらの再結合により蛍光もしくはりん光を発するドーパントを添加したものを用いればよく、例えば、ホストとしてはトリス（８−キノリノラト）アルミニウム、ビス（８−キノリノラト）マグネシウム、ビス（ベンゾ｛ｆ｝−８−キノリノラト）亜鉛、ビス（２−メチル−８−キノリノラト）アルミニウムオキシド、トリス（８−キノリノラト）インジウム、トリス（５−メチル−８−キノリノラト）アルミニウム、８−キノリノラトリチウム、トリス（５−クロロ−８−キノリノラト）ガリウム、ビス（５−クロロ−８−キノリノラト）カルシウム、５，７−ジクロル−８−キノリノラトアルミニウム、トリス（５，７−ジブロモ−８−ヒドロキシキノリノラト）アルミニウム、ポリ［亜鉛（II）−ビス（８−ヒドロキシ−５−キノリニル）メタン］のような錯体、アントラセン誘導体、カルバゾール誘導体、等を用いることができる。
【００８５】
また、ドーパントとしては、ホスト中で電子とホールを捉えて再結合させ発光するものであって、例えば赤色に対応する発光層では、ピラン誘導体、緑色に対応する発光層ではクマリン誘導体、青色に対応する発光層では、アントラセン誘導体などの蛍光を発光する物質やもしくはイリジウム錯体、ピリジナート誘導体などりん光を発する物質であっても良い。
【００８６】
なお、有機ＥＬ層１３が端部において段切れによって破壊することを防止するために、画素（サブピクセル）と画素（サブピクセル）との間には、バンク１７が形成される。バンク１７は有機材料で形成する場合もあるし、ＳｉＮのような無機材料で形成する場合もある。バンク１７の材料として有機材料を用いる場合、一般にはアクリル樹脂によって形成される。
【００８７】
電極配線１４は、有機ＥＬ層１３の上およびバンク１７の上等に、発光パネル１０の表示領域Ａ全体において蒸着あるいはスパッタリング等によって形成される。また、有機ＥＬ層１３に水分が存在すると発光効率が低下するので、有機ＥＬ層１３を水分から保護するために封止層１５が形成される。封止層１５は、一例として、窒化ケイ素（ＳｉＮｘ）、窒化酸化ケイ素（ＳｉＯｘＮｙ）、酸化アルミニウム（ＡｌＯｘ）、窒化アルミニウム（ＡｌＮｘ）などの無機材料や、ポリパラキシリレンのような比較的防湿性の高い有機材料を用いて薄膜状に形成される。
【００８８】
このように構成される発光パネル１０は、例えば、次のようにして製造することができる。
【００８９】
まず、第２基板１１の上に、電極配線１２の材料となる導電性薄膜を成膜し、フォトリソグラフィーおよびエッチングなどによって導電性薄膜をパターニングすることによって、所定形状の複数本の電極配線１２を形成する。
【００９０】
次に、電極配線１２の上面に、例えば蒸着法を用いて、電子注入層、電子輸送層、発光層、ホール輸送層などの複数の薄膜を順に積層して、有機ＥＬ層１３を形成する。その後、さらに蒸着法を用いて、複数本の電極配線１４を形成した後、プラズマＣＶＤ法などを用いて封止層１５を全面に成膜して封止する。
【００９１】
なお、本実施の形態では、発光パネル１０として、パッシブマトリクス駆動方式の有機ＥＬパネルを用いたが、これに限らない。例えば、発光パネル１０として、アクティブマトリクス駆動方式の有機ＥＬパネルを用いることもできる。この場合、第２基板１１と電極配線１２との間に、画素を選択するためのスイッチング用のＴＦＴを画素ごとに設ける。この場合、さらに、ＴＦＴを保護するためにパッシベーション膜を形成してもよい。なお、ＴＦＴを設けなくても、有機ＥＬ層１３が形成される面を平坦にするためにパッシベーション膜を形成してもよい。
【００９２】
以上、本実施の形態における発光ユニット１００によれば、発光パネル１０の非表示領域Ｂ１およびＢ２を折り曲げているので、発光ユニット１００の平面視における額縁領域の幅ＷＢを狭くすることが可能である。
【００９３】
また、本実施の形態において、発光パネル１０の表示領域Ａから張り出した非表示領域Ｂ１およびＢ２は、発光パネル１０の裏の面側に配置された第１固定部材２１の裏の面（背面）にまで折り曲げられ、第１固定部材２１の裏の面において第１固定部材２１と第２固定部材２２とによって挟持されている。これにより、発光パネル１０に折り曲げたことによる復元力（残留応力）が発生していても、発光パネル１０に層剥がれを発生させることなく、発光パネル１０を安定して保持固定することができる。
【００９４】
さらに、本実施の形態では、対向する一対の非表示領域Ｂ１およびＢ２の端部が、第１固定部材２１の対向端部の裏の面において、第１固定部材２１と第２固定部材２２とによって押さえられている。これにより、折り曲げによる発光パネル１０の復元力が第２固定部材２２の対向する端部に均等に加わることになるので、発光パネル１０を容易に保持させることができる。
【００９５】
したがって、この発光ユニット１００を所定のパターンに複数個配列して構成された発光装置１では、発光パネル１０の信頼性を損なうことなく、発光ユニット１００間の継ぎ目を目立たなくさせることができる。
【００９６】
（実施の形態２）
次に、本発明の実施の形態２に係る発光装置について、図４Ａおよび図４Ｂを用いて説明する。図４Ａは、本発明の実施の形態２に係る発光装置における発光ユニットの構成を背面から見たときの斜視図である。図４Ｂは、本発明の実施の形態２に係る発光装置における発光ユニットの側断面図である。なお、本実施の形態では、実施の形態１と異なる点を中心に説明する。
【００９７】
図４Ａおよび図４Ｂに示すように、本実施の形態における発光ユニット１００Ａは、第１固定部材２１と第２固定部材２２とによる発光パネル１０の固定をネジ留めにより行うものであり、実施の形態１における発光ユニット１００に対して、さらに、ネジ３０を備える。
【００９８】
ネジ３０は、第１固定部材２１の裏の面にまで折り曲げられた非表示領域Ｂ１およびＢ２の端部を、第１固定部材２１と第２固定部材２２とに固定するものであり、第１固定部材２１と非表示領域Ｂ１（Ｂ２）と第２固定部材２２とを連通している。つまり、第１固定部材２１と非表示領域Ｂ１（Ｂ２）と第２固定部材２２とには、ネジ３０を挿通させるための貫通孔が設けられている。
【００９９】
なお、ネジ３０の頭は、発光パネル１０の光出射面（表示面）への悪影響を避けるために、第１固定部材２１の内部に埋め込んでおくことが望ましい。また、ネジ３０の位置は、発光パネル１０の封止部材の幅や各電極の配置関係を考慮することが好ましく、ネジ３０は電極や封止部材に影響の無い箇所に配置するとよい。ネジ３０のサイズは特に限定されるものではないが、発光パネル１０を保持するために必要な強度とネジ３０自体が発光パネル１０の折り曲げの妨げにならないようなサイズとの兼ね合いで選ぶことよい。また、非表示領域Ｂ１およびＢ２の形状は、ネジ３０と干渉しない形状にするとよい。あるいは、非表示領域Ｂ１およびＢ２にまで延設された電極配線１２および１４の引き出し形状とネジ３０との位置関係を考慮して、非表示領域Ｂ１およびＢ２の形状等を決めてもよい。
【０１００】
また、発光ユニット１００Ａにおいて、ネジ３０にはナット４０が装着されている。ナット４０は、第１固定部材２１との間で、非表示領域Ｂ１およびＢ２の折り曲げ部分と第２固定部材２２とを挟み込むように装着される。
【０１０１】
以上、本実施の形態に係る発光ユニット１００Ａによれば、ネジ３０が、第１固定部材２１と非表示領域Ｂ１およびＢ２と第２固定部材２２とを連通しているので、第１固定部材２１と非表示領域Ｂ１およびＢ２と第２固定部材２２との相対的な位置関係を固定することができる。したがって、折り曲げによって発光パネル１０に復元力（残留応力）が発生していても、形状（姿勢）が変わることなく発光パネル１０を保持し続けさせることができる。
【０１０２】
さらに、本実施の形態では、ナット４０がネジ３０に装着されている。したがって、ナット４０をネジ３０にねじ込むことによって、第２固定部材２２における第１固定部材２１側への押圧力を大きくすることができる。これにより、折り曲げによって発光パネル１０に復元力が発生していても、ナット４０による締付力によって、折り曲げられた非表示領域Ｂ１およびＢ２の端部を、第１固定部材２１側にしっかりと押さえつけることができる。したがって、非表示領域Ｂ１およびＢ２の折り曲げ部分における第１固定部材２１からの浮きを小さくすることができるので、発光ユニット１００Ａを平面視したときにおける額縁領域の幅ＷＢをさらに小さくすることができる。この結果、発光パネルを一層強固に保持することができるとともに、発光ユニット１００Ａ間の継ぎ目を一層目立たなくさせることができる。
【０１０３】
なお、本実施の形態において、ネジ３０とナット４０とは、発光ユニット１００Ｂの４隅（第１固定部材２１および第２固定部材２２の４隅）に設けられているが、ネジ３０およびナット４０の配置位置または個数は、これに限定されるものではない。
【０１０４】
また、ネジ３０は、図４Ｂに示すように、第２固定部材２２から長く延びるような長尺状のものを用いてもよい。例えば、ネジ３０の全長を、第１固定部材２１の表の面から第２固定部材２２の裏の面までの長さの２倍程度とすることができる。このように、長尺状のネジ３０を予め取り付けておくことによって、ネジ３０の第２固定部材２２から飛び出した部分を、発光ユニット１００Ａを筐体２００に取り付ける際の固定部材として用いることができる。つまり、発光ユニット１００Ａと筐体２００との接続をネジ３０を用いて行うことができる。また、発光ユニット１００Ａと電気的に接続されるプリント基板に貫通孔を設けておき、ネジ３０を当該プリント基板に貫挿させることで、プリント基板をネジ３０に取り付けても構わない。このように、ネジ３０を長尺状とすることで、第１固定部材２１、第２固定部材２２および発光パネル１０を固定する以外の用途にもネジ３０を利用することができる。
【０１０５】
（実施の形態３）
次に、本発明の実施の形態３に係る発光装置について、図５Ａおよび図５Ｂを用いて説明する。図５Ａは、本発明の実施の形態３に係る発光装置における発光ユニットの構成を背面から見たときの斜視図である。図５Ｂは、本発明の実施の形態３に係る発光装置における発光ユニットの側断面図である。なお、本実施の形態では、実施の形態１および実施の形態２と異なる点を中心に説明する。
【０１０６】
図５Ａおよび図５Ｂに示すように、本実施の形態における発光ユニット１００Ａでは、第２固定部材２２Ｂが開口を有する枠体である。本実施の形態における第２固定部材２２Ｂは、平面視形状がロの字状となっている。
【０１０７】
また、本実施の形態における発光パネル１０Ｂは、実施の形態１における発光パネル１０と比べて、電極配線１２が形成された非表示領域Ｂ１の張り出し長さが長くなっている。そして、非表示領域Ｂ１およびＢ１を第１固定部材２１の背面にまで折り曲げたときに、電極配線１２を含む非表示領域Ｂ１を、枠形状の第２固定部材２２Ｂの開口内から引き出している。
【０１０８】
以上、本実施の形態に係る発光ユニット１００Ｂによれば、電極配線１２を含む非表示領域Ｂ１が第２固定部材２２Ｂの開口から引き出されている。これにより、非表示領域Ｂ１の折り曲げの端部に存在する電極端子を第２固定部材２２Ｂの背面から離れるように引き出すことができるので、発光ユニット１００Ｂと電気回路との電気的接続を容易に行うことができる。
【０１０９】
なお、本実施の形態では、不透過性の電極配線１２を含む非表示領域Ｂ１のみを第２固定部材２２Ｂの開口から引き出している（つまり、電極配線１２を引き出している）が、これに限らない。例えば、電極配線１４を含む非表示領域Ｂ１のみを第２固定部材２２Ｂの開口から引き出してもよいし、電極配線１２を含む非表示領域Ｂ１および電極配線１４を含む非表示領域Ｂ１の両方を第２固定部材２２Ｂの開口から引き出してもよい。
【０１１０】
また、第２固定部材２２Ｂの枠の幅ＤＦＩＸ２は、特に限定されるものではないが、発光パネル１０Ｂを固定可能な強度が出せる程度の幅であることが望ましい。第２固定部材２２Ｂの枠の幅ＤＦＩＸ２は、目安として、第２固定部材２２Ｂの平面視の面積が折り曲げ辺の長さの合計（幅ＷＡの長さの４倍）に対して４〜５倍程度となるようにすればよい。
【０１１１】
また、実施の形態１と同様に、発光パネル１０Ｂは、第１固定部材２１の角部の湾曲形状に沿うように折り曲げられるが、発光パネル１０Ｂには復元力として曲げ戻ろうとする力（残留応力）が存在するため、図５Ｂに図示されるように、発光パネル１０Ｂ（第１基板１６）は第１固定部材２１と完全には密着しない。特に、第１固定部材２１の側面と発光パネル１０Ｂ（非表示領域Ｂ１、Ｂ２）との間に隙間が生じると、発光パネル１０Ｂが第１固定部材２１から浮いてしまう。表示パネル１０Ｂの浮きが大きくなると、発光ユニット１００Ｂの額縁領域の幅が大きくなってしまう。また、折り曲げたときの発光パネル１０Ｂの残留応力（復元力）は、発光パネル１０Ｂの厚みが大きい程大きくなる。
【０１１２】
そこで、本実施の形態では、発光パネル１０Ｂの厚みと第１固定部材２１からの発光パネル１０の浮き（浮き量）Ｌとの関係を調べる実験を行った。
【０１１３】
なお、本実験において、発光パネル１０Ｂは、２．５インチパネルを用いた。また、第２基板１１の厚みは一定とし、厚さの異なる第１基板１６の種類を変更することで発光パネル１０Ｂの厚みを変更した。これは、下側の第２基板１１は、発光パネル１０Ｂを製造する際の温度プロセスによって高温にさらされることから材料の選択性が少なく厚いものを使わざるを得ず、一方、上側の第１基板１６はそのような制約がなく比較的に薄いものを選択することができるからである。第１基板１６は、ポリイミド（８５μｍ）およびポリエチレンナフタレート（８０μｍ、１１５μｍ、１２６μｍ、２００μｍ）の基板を用い、第２基板１１は、約３５μｍのポリイミドからなる基板を用いた。また、第１基板１６を除いた発光パネル１０Ｂ（有機ＥＬ層１３、電極配線１２、１４等）の総厚みは約３μｍであった。第１固定部材２１および第２固定部材２２Ｂはアクリル素材のものを使用し、固定用のネジ３０はＭ２サイズの皿ネジとした。なお、第１固定部材２１において、幅（ＷＡ）は４３ｍｍ、厚み（ｔＦＩＸ１）は６ｍｍ、全ての辺の曲率半径（Ｒ１、Ｒ２）は０．５ｍｍとした。また、第２固定部材２２Ｂにおいて、幅（ＤＦＩＸ２）は５ｍｍとし、厚み（ｔＦＩＸ２）は３ｍｍとした。
【０１１４】
この実験結果を図６に示す。図６は、本発明の実施の形態３に係る発光装置の発光ユニットにおける表示パネルの厚みと表示パネルの浮きとの関係を示したグラフである。
【０１１５】
本実験では、電極配線１２（光不透過電極）を含む非表示領域Ｂ１と電極配線１４（透明電極）とを含む非表示領域Ｂ１とを用いて実施したが、図６に示すように、どちらの場合も発光パネル１０Ｂの厚みが増すにつれて発光パネル１０Ｂの浮き（Ｌ）が大きくなる結果となった。このように、発光パネル１０Ｂの厚みの増加とともに発光パネル１０Ｂの浮き（Ｌ）が大きくなるのは、発光パネル１０Ｂの厚みが増加するに伴って、折り曲げによる発光パネル１０Ｂ内の残留応力が大きくなるためだと考えられる。なお、発光パネル１０Ｂの浮きが大きい場合でも、発光パネル１０Ｂの浮きが狙いの額縁領域の幅（ＷＢ）を実現できる範囲内であるならば、発光パネル１０Ｂを第１固定部材２１Ｂの角部に沿わせて折り曲げることで額縁領域の幅（ＷＢ）は所望の値に制御することができる。
【０１１６】
また、発光パネルが表示パネルである場合、発光ユニット間の継ぎ目を目立たなくさせるためには、継ぎ目の非発光領域（額縁領域）の幅を、表示パネルの画素間の非発光領域（例えばブラックマトリクス領域）の幅に近づけることが好ましい。例えば、図７に示すように、複数の発光ユニット１００Ｂを配列したときに、隣り合う発光ユニット１００Ｂの継ぎ目（境界線Ｌ１）における継ぎ目の非発光領域の幅Ｗ２は、表示パネルの画素間の非発光領域の幅Ｗ１以下にすることが好ましい。つまり、１つの発光ユニット１００Ｂの非発光領域（額縁領域）の幅は、表示パネルの画素間の非発光領域の幅Ｗ１の半分以下にすることが好ましい。また、隣接する発光ユニット１００Ｂの両方の額縁領域を跨いだ隣接する表示パネルの画素間ピッチＰ２は、１つの表示パネルの画素間ピッチＰ１（例えば３ｍｍ）と同じかそれ以下にすることが好ましい。
【０１１７】
ここで、表示パネルの画素間ピッチが３ｍｍの場合に２０％程度の開口率を維持しようとすると、発光ユニット１００Ｂの額縁領域の幅ＷＢ（Ｗ２／２）は１ｍｍ以下となる。さらに、第１固定部材２１の角部の曲率半径が０．５ｍｍであることを考慮すると、発光パネル１０Ｂ（表示パネル）の浮きＬは、５００μｍ以下、望ましくは４００μｍ以下となる。
【０１１８】
このことを考慮すると、図６により、発光パネル１０Ｂの厚みは、１３０μｍ以下であることが好ましい。発光パネル１０Ｂの厚みを１３０μｍ以下とすることにより、発光パネル１０Ｂの浮きを、狙いの額縁領域の幅が実現できる範囲内とすることができる。また、発光パネル１０Ｂの作製上の限界から、最薄の発光パネル１０Ｂは４０μｍ程度であると想定される。したがって、本実施の形態において、望ましい発光パネル１０Ｂの厚みは、４０μｍ〜１３０μｍである。なお、実施の形態１、２における発光パネル１０も同様に、発光パネル１０の厚みは、４０μｍ〜１３０μｍとすることが好ましい。
【０１１９】
また、発光ユニット１００Ｂの継ぎ目を目立たなくさせるためには、発光パネル１０Ｂの浮きは小さい方が望ましいことは言うまでもない。したがって、第２基板１１の厚みを一定にしている本実験では、第１基板１６の厚みが薄いほど望ましく、第２基板１１よりも第１基板１６の厚みが薄い方がより望ましい。すなわち、第１基板１６の厚みを第２基板１１の厚みよりも薄くすることにより、発光パネル１０Ｂの浮きが小さくなり、発光ユニット１００Ｂ間の継ぎ目を目立たなくすることができる。
【０１２０】
（変形例等）
以上、本発明に係る発光装置について、実施の形態に基づいて説明したが、本発明は、上記の実施の形態に限定されるものではない。
【０１２１】
例えば、上記実施の形態では、複数の発光ユニットのうちの一の発光ユニットにおける発光パネルの非表示領域（Ｂ１、Ｂ２）を、当該一の発光ユニットにおける第１固定部材の背面側にまで折り曲げたが、これに限らない。図８Ａに示すように、複数の発光ユニットのうちの一の発光ユニットにおける発光パネル１０Ｘの非表示領域を、当該一の発光ユニットに隣接する他の発光ユニットにおける第１固定部材２１の背面側にまで折り曲げるように構成してもよい。この場合、隣接する他の発光ユニットに向けて折り曲げた非表示領域の端部は、一の発光ユニットではなく他の発光ユニットにおける第２固定部材２２と第１固定部材２１とによって挟持される。さらに、この場合、第２固定部材２２を共通化して、図８Ｂに示すように、複数の第１固定部材２１に共通して配置された一枚の第２固定部材２２Ｘを用いてもよい。
【０１２２】
また、上記実施の形態において、上記好適例の寸法は、発明者等が実験結果や、物性データなどから創意工夫の末に導出した好適事例の一つであり、これに限定するものではなく、上記実施の形態の技術的思想を逸脱しない範囲内で、表示パネルのサイズや、用途に応じて適宜寸法設定をすることができる。
【０１２３】
その他、各実施の形態に対して当業者が思いつく各種変形を施して得られる形態や、本発明の趣旨を逸脱しない範囲で各実施の形態における構成要素および機能を任意に組み合わせることで実現される形態も本発明に含まれる。
【産業上の利用可能性】
【０１２４】
本発明は、ディスプレイ装置や照明装置等の発光装置に適用することができ、特に、発光ユニットの継ぎ目を目立たなくすることが可能であるので、タイリング方式に好適な発光装置に有用である。
【符号の説明】
【０１２５】
１  発光装置
１０、１０Ｂ、１０Ｘ  発光パネル
１１  第２基板
１２、１４  電極配線
１３  有機ＥＬ層
１５  封止層
１６  第１基板
１７  バンク
１８  有機ＥＬ素子
２１  第１固定部材
２２、２２Ｂ、２２Ｘ  第２固定部材
３０  ネジ
４０  ナット
１００、１００Ａ、１００Ｂ  発光ユニット
２００  筐体
【図１】
2014075547.tif 000003
【図２】
2014075547.tif 000004
【図３Ａ】
2014075547.tif 000005
【図３Ｂ】
2014075547.tif 000006
【図４Ａ】
2014075547.tif 000007
【図４Ｂ】
2014075547.tif 000008
【図５Ａ】
2014075547.tif 000009
【図５Ｂ】
2014075547.tif 000010
【図６】
2014075547.tif 000011
【図７】
2014075547.tif 000012
【図８Ａ】
2014075547.tif 000013
【図８Ｂ】
2014075547.tif 000014